(57)【要約】【課題】洗濯機で丸洗いすることができるだけでなく、軽量化や通気性の確保も容易な帽子を提供する。【解決手段】帽体１１０と庇１２０とびん皮１３０とを備えた帽子において、庇１２０を庇芯地１２３と庇表地１２１と庇裏地１２２とで構成し、庇表地１２１と庇裏地１２２の先端縁を互いに縫着して袋状に形成した後裏返すことにより、当該先端縁にほつれ防止処理を施すとともに、庇表地１２１及び庇裏地１２２の基端縁における裁ち目Ｌ２２，Ｌ２３を、長手方向に沿って二つ折りにした補強テープＴ１で包み込み、補強テープＴ１の長手方向に沿った両側の縁を補強テープＴ１の内側にさらに折り返し、その折り返された部分で補強テープＴ１を庇表地１２１及び庇裏地１２２に対して縫着することにより、裁ち目Ｌ２２，Ｌ２３に沿ってほつれ防止処理を施した。庇１２０の基端縁は、びん皮１３０によって覆われる。【選択図】図３
2014218772.tif 000002
【特許請求の範囲】
【請求項１】
着用者の頭部を覆うための帽体と、
庇芯地と、庇芯地の上面を覆う庇表地と、庇芯地の下面を覆う庇裏地とで構成され、帽体の下縁から外方に突出して設けられた庇と、
帽体の内部下縁に沿って取り付けられたびん皮と、
を備え、庇の基端縁がびん皮によって覆われた帽子であって、
庇表地と庇裏地の先端縁を互いに縫着して袋状に形成した後裏返し、庇表地及び庇裏地の先端縁における裁ち目が外部に露出しないようにすることにより、庇表地及び庇裏地の先端縁にほつれ防止処理を施すとともに、
庇表地及び庇裏地の基端縁における裁ち目に沿って補強テープＴ１を配し、補強テープＴ１を長手方向に沿って二つ折りにして庇表地及び庇裏地の基端縁における裁ち目を補強テープＴ１で包み込み、補強テープＴ１の長手方向に沿った両側の縁を補強テープＴ１の内側にさらに折り返し、その折り返された部分で補強テープＴ１を庇表地及び庇裏地に対して縫着することにより、庇の基端縁における裁ち目に沿ってほつれ防止処理を施すことにより、
洗濯機で丸洗いしても庇の基端縁における裁ち目がほつれないようにしたことを特徴とする帽子。
【発明の詳細な説明】
【技術分野】
【０００１】
本発明は、帽体や庇やびん皮のほつれを防止して洗濯機で丸洗いすることもできるようにした帽子に関する。
【背景技術】
【０００２】
従来の帽子は、帽体の下縁における裁ち目や、庇の基端縁における裁ち目や、びん皮の上縁及び下縁における裁ち目などが切りっぱなしとなっており、洗濯機で丸洗いすると、これらの裁ち目がほつれるおそれがあるものであった。このため、従来の帽子は、丁寧に手洗いする必要があり、非常に煩わしかった。
【０００３】
このような実状に鑑みてか、特許文献１には、頭部を覆う本体部（帽体に相当）と、本体部の内側で本体部の開口部に沿って設けられる滑り部材（びん皮に相当）と、滑り部材よりも内側に設けられて滑り部材を覆う内張り部材とを備えた帽子が記載されている。これにより、洗濯機で丸洗いしても滑り部材が破損することのない帽子を提供することが可能になるとされている。
【先行技術文献】
【特許文献】
【０００４】
【特許文献１】実公平０７−０１８７３０号公報（実用新案登録請求の範囲、産業上の利用分野、考案の効果、図１）
【発明の概要】
【発明が解決しようとする課題】
【０００５】
特許文献１の帽子は、滑り部材（びん皮）のほつれを防止するという点では、一定の効果を奏するものではあったが、本体部（帽体）の内側全体を内張り部材で覆う必要があるものであった。このため、特許文献１の帽子は、軽量化が困難であるばかりか、本体部の通気性を確保するのも困難であった。
【０００６】
本発明は、上記課題を解決するために為されたものであり、洗濯機で丸洗いすることができるだけでなく、軽量化や通気性の確保も容易な帽子を提供することを目的とする。
【課題を解決するための手段】
【０００７】
上記課題は、庇の基端縁（根元側の縁）における裁ち目に沿ってほつれ防止処理を施した帽子を提供することによって解決される。このように、庇の基端縁に沿った部分のみにほつれ防止処理を施すことによって、使用する生地の量を抑えながらも、庇の基端縁における裁ち目のほつれを防止することが可能になる。
【０００８】
より具体的には、庇を庇芯地と庇芯地の上面を覆う庇表地と庇芯地の下面を覆う庇裏地とで構成し、庇表地及び庇裏地の基端縁における裁ち目に沿ってほつれ防止処理を施すと好ましい。これにより、庇表地及び庇裏地の基端縁における裁ち目のほつれを防止することが可能になる。
【０００９】
このほつれ防止処理は、とくに限定されず、かがり縫い処理などであってもよいが、庇表地及び庇裏地の基端縁における裁ち目に沿って補強テープＴ１を配し、庇表地及び庇裏地の基端縁における裁ち目を補強テープＴ１で包み込むと好ましい。これにより、庇の基端縁をすっきりと仕上げることが可能になる。以下においては、このほつれ防止処理を「パイピング処理」と呼ぶことがある。
【００１０】
また、上記課題は、びん皮の上縁及び下縁の裁ち目に沿ってほつれ防止処理を施した帽子を提供することによっても解決される。この構成によっても、使用する生地の量を抑えながらも、庇の基端縁における裁ち目のほつれを防止することが可能になる。
【００１１】
より具体的には、びん皮をびん皮芯地とびん皮芯地の表面を覆うびん皮表地とで構成し、びん皮表地の上縁及び下縁をびん皮芯地の裏面側に折り返し、びん皮表地の上縁及び下縁における裁ち目に沿ってほつれ防止処理を施すと好ましい。これにより、びん皮表地の上縁及び下縁における裁ち目のほつれを防止することが可能になる。
【００１２】
このほつれ防止処理は、とくに限定されず、パイピング処理などであってもよいが、びん皮の長手方向に沿って補強テープＴ２を配し、びん皮表地の上縁及び下縁における裁ち目を補強テープＴ２で被覆すると好ましい。これにより、びん皮の裏面をすっきりと仕上げることが可能になる。
【００１３】
さらに、上記課題は、帽体の下縁における裁ち目に沿ってほつれ防止処理を施した帽子を提供することによっても解決される。この構成によっても、使用する生地の量を抑えながらも、庇の基端縁における裁ち目のほつれを防止することが可能になる。
【００１４】
このほつれ防止処理は、特に限定されず、パイピング処理などであってもよいが、帽体の下縁における裁ち目に沿って補強テープＴ３を配し、帽体の下縁における裁ち目の近傍を補強テープＴ３とともにかがり縫いすると好ましい。これにより、帽体の下縁をさらにほつれにくくすることが可能になる。
【発明の効果】
【００１５】
以上のように、本発明によって、洗濯機で丸洗いすることができるだけでなく、軽量化や通気性の確保も容易な帽子を提供することが可能になる。
【図面の簡単な説明】
【００１６】
【図１】本発明の帽子を示した側面図である。
【図２】図１に示した帽子の底面図である。
【図３】図１に示した帽子における庇の基端縁周辺を庇に垂直な面で切断した状態を示した断面図である。
【図４】図３に示した帽体の下縁における裁ち目近傍を補強テープＴ３とともにかがり縫いした状態を示した図である。
【図５】図３に示した庇の基端縁における裁ち目を補強テープＴ１で包み込んだ状態を示した図である。
【図６】図３に示したびん皮の上縁及び下縁における裁ち目を補強テープＴ２で被覆した状態を示した図である。
【発明を実施するための形態】
【００１７】
本発明の帽子の好適な実施態様を、図面を用いてより具体的に説明する。
【００１８】
１．帽子の概要
図１は、本発明の帽子１００を示した側面図である。図２は、図１に示した帽子１００の底面図である。図３は、図１に示した帽子１００における庇１２０の基端縁周辺を庇１２０に垂直な面で切断した状態を示した断面図である。図４は、図３に示した帽体１１０の下縁における裁ち目近傍を補強テープＴ３とともにかがり縫いした状態を示した図である。図５は、図３に示した庇１２０の基端縁における裁ち目を補強テープＴ１で包み込んだ状態を示した図である。図６は、図３に示したびん皮１３０の上縁及び下縁における裁ち目を補強テープＴ２で被覆した状態を示した図である。
【００１９】
帽子１００は、図１に示すように、着用者の頭部を覆うための帽体１１０と、日光や雨が着用者の目に入るのを防ぐための庇１２０とを備えたものとなっている。帽体１１０の内部には、図２に示すように、帽体１１０の下縁を略円形に保って帽子１００を被りやすくするためのびん皮１３０が帽体１１０の下縁に沿って取り付けられている。
【００２０】
２．帽体
帽体１１０は、その形態をとくに限定されるものではないが、通常、図１と図２示すように、略二等辺三角形の複数枚の生地（れんげと呼ばれる）の側縁を互いに縫着して略半球状に形成される。本実施態様の帽子１００において、帽体１１０は、図３に示すように、単層構造になっているが、複層構造（例えば、帽体表地と帽体裏地とを重ねた構造）としてもよい。
【００２１】
帽体１１０の下縁には、図３に示すように、庇１２０が縫着されている（針目Ｌ１０）。帽体１１０の下縁は、裁ち目Ｌ２０と針目Ｌ１０との間の部分が帽体１１０の内部に折り返された状態となっている。この折り返された部分には、帽体１１０の下縁における裁ち目Ｌ２０に沿って補強テープＴ３が貼り付けられている。帽体１１０の下縁における裁ち目Ｌ２０の近傍は、図４に示すように、補強テープＴ３とともにかがり縫いされている。このため、裁ち目Ｌ２０に沿ってほつれ防止処理が施された状態となっている。したがって、帽子１００を洗濯機で丸洗いしても、裁ち目Ｌ２０がほつれることのないようになっている。
【００２２】
また、本実施態様の帽子１００においては、帽体１１０を構成するれんげの側縁における裁ち目Ｌ２１（図示省略）にもほつれ防止処理が施されている。すなわち、帽体１１０の裏面には、図２に示すように、帽体１１０を構成するれんげの継ぎ目Ｌ３０（図１を参照）に沿って補強テープＴ４が縫着されており、裁ち目Ｌ２１が補強テープＴ４によって被覆された状態となっている。したがって、帽子１００を洗濯機で丸洗いしても、裁ち目Ｌ２１がほつれることのないようになっている。
【００２３】
３．庇
庇１２０は、その形態をとくに限定されるものではなく、帽体１１０の全周部に亘って鍔状に設けたものなどであってもよい。本実施態様の帽子１００においては、図２に示すように、帽体１１０の前周部の下縁から前方に突出する略三日月形状の庇１２０を設けている。この庇１２０は、図３に示すように、庇１２０の形状を保つための庇芯地１２３と、庇芯地１２３の上面を覆う庇表地１２１と、庇芯地１２３の下面を覆う庇裏地１２２とで構成されている。庇１２０の基端縁近傍には、びん皮１３０が縫着されている（針目Ｌ１１）。
【００２４】
庇表地１２１及び庇裏地１２２の基端縁における裁ち目Ｌ２２，Ｌ２３は、図３に示すように、長手方向に沿って二つ折りされた補強テープＴ１で包み込まれている。補強テープＴ１の長手方向に沿った縁は、補強テープＴ１の内側に折り返され、庇表地１２１及び庇裏地１２２に縫着されている（針目Ｌ１２）。このため、裁ち目Ｌ２２，Ｌ２３に沿ってほつれ防止処理が施された状態となっている。したがって、帽子１００を洗濯機で丸洗いしても、裁ち目Ｌ２２，Ｌ２３がほつれることのないようになっている。
【００２５】
また、本実施態様の帽子１００においては、庇表地１２１及び庇裏地１２２の先端縁における裁ち目Ｌ２４，Ｌ２５（図示省略）にもほつれ防止処理が施されている。すなわち、庇表地１２１と庇裏地１２２は、その先端縁を互いに縫着されて袋状に形成した後、裏返されており、裁ち目Ｌ２４，Ｌ２５が外部に露出しないようになっている。このため、帽子１００を洗濯機で丸洗いしたとしても、裁ち目Ｌ２４，Ｌ２５がほつれることのないようになっている。庇表地１２１及び庇裏地１２２の先端縁は、他の生地を介在させて縫着してもよい。
【００２６】
４．びん皮
本実施態様の帽子１００において、びん皮１３０は、図３に示すように、びん皮芯地１３２と、びん皮芯地１３２の表面を覆うびん皮表地１３１とで構成されたものとなっている。びん皮表地１３１の上縁及び下縁は、びん皮芯地１３２の裏面側に折り返されている。びん皮１３０の裏面側には、びん皮１３０の長手方向に沿って補強テープＴ２が配されており、びん皮表地１３１の上縁及び下縁における裁ち目Ｌ２６，Ｌ２７が補強テープＴ２で被覆された状態となっている。補強テープＴ２の上縁及び下縁は、補強テープＴ２の内側に折り返され、びん皮表地１３１及びびん皮芯地１３２に縫着されている（針目Ｌ１３，Ｌ１４）。このため、裁ち目Ｌ２６，Ｌ２７に沿ってほつれ防止処理が施された状態となっている。したがって、帽子１００を洗濯機で丸洗いしても、裁ち目Ｌ２６，Ｌ２７がほつれることのないようになっている。
【００２７】
５．その他
帽体１１０の形状を安定させたい場合には、帽体１１０の内部に前立（図示省略）を設けるとよい。前立は、一般的に、その基端縁が帽体１１０の下縁と庇１２０の基端縁との間に挟みこまれた状態で帽体１１０に縫着されるが、前立の下縁を庇１２０の基端縁とびん皮１３０の下縁との間に挟み込ませると好ましい。これにより、庇１２０から帽子１００の着用者の額に加えられる押圧力を前立で和らげることが可能になる。したがって、帽子１００の被り心地をさらに向上させることができる。
【００２８】
６．用途
本発明の帽子は、その用途を特に限定されず、各種の帽子に採用することができる。なかでも、運動帽や作業帽などは、汚れる頻度が高く、洗濯する機会が多いために、これらの帽子に本発明の構成を採用すると、大きな利益を得ることができる。
【符号の説明】
【００２９】
１００  帽子
１１０  帽体
１２０  庇
１２１  庇表地
１２２  庇裏地
１２３  庇芯地
１３０  びん皮
１３１  びん皮表地
１３２  びん皮芯地
Ｌ１０  針目（帽体と庇との縫着部）
Ｌ１１  針目（庇とびん皮との縫着部）
Ｌ１２  針目（補強テープＴ１と庇との縫着部）
Ｌ１３  針目（補強テープＴ２の上縁とびん皮との縫着部）
Ｌ１４  針目（補強テープＴ２の下縁とびん皮との縫着部）
Ｌ２０  帽体の下縁における裁ち目
Ｌ２１  帽体を構成するれんげの側縁における裁ち目
Ｌ２２  庇表地の基端縁における裁ち目
Ｌ２３  庇裏地の基端縁における裁ち目
Ｌ２４  庇表地の先端縁における裁ち目
Ｌ２５  庇裏地の先端縁における裁ち目
Ｌ２６  びん皮表地の上縁における裁ち目
Ｌ２７  びん皮表時の下縁における裁ち目
Ｌ３０  帽体を構成するれんげの継ぎ目
Ｔ１  補強テープ（庇用）
Ｔ２  補強テープ（びん皮用）
Ｔ３  補強テープ（帽体の下縁用）
Ｔ４  補強テープ（帽体を構成するれんげの側縁用）
【図１】
2014218772.tif 000003
【図２】
2014218772.tif 000004
【図３】
2014218772.tif 000005
【図４】
2014218772.tif 000006
【図５】
2014218772.tif 000007
【図６】
2014218772.tif 000008